(57)【特許請求の範囲】
【請求項１】
可撓性を備えた硬質長尺体の先端に作業部を設けてある管内作業装置を、管径方向から管内に連通する貫通孔を通して、管軸に対して傾斜する方向から管内に挿入する為に、前記管内作業装置の前記貫通孔から管内への挿入方向を案内する案内用筒体と、その案内用筒体を管側に固定する固定用筒体とを、それらの筒軸どうしが斜めに交叉する姿勢で接続してある管内作業装置の管内挿入用治具であって、
前記固定用筒体を、前記貫通孔の周縁に沿って螺着する雄ネジ部を外周面に備えた筒状部材の外周側に、前記貫通孔の周縁に沿って螺着した筒状部材の外周部と前記貫通孔の周縁を囲む外面部との間をシールする弾性シール材の保持枠を鍔状に設けて構成し、
前記案内用筒体のうちの、前記管内作業装置の管内における挿入方向で上手側の部位を前記保持枠に接続し、
前記固定用筒体のうちの、前記管内作業装置の管内における挿入方向で上手側の部位であって、かつ、前記筒状部材と前記保持枠とに亘る部位に、前記管内作業装置の入り込みを許容する切欠を形成してある管内作業装置の管内挿入用治具。
【発明の詳細な説明】
【０００１】
【発明の属する技術分野】
本発明は、可撓性を備えた硬質長尺体の先端に作業部を設けてある管内作業装置を、管径方向から管内に連通する貫通孔を通して、管軸に対して傾斜する方向から管内に挿入する為に、前記管内作業装置の前記貫通孔から管内への挿入方向を案内する案内用筒体と、その案内用筒体を管側に固定する固定用筒体とを、それらの筒軸どうしが斜めに交叉する姿勢で接続してある管内作業装置の管内挿入用治具に関する。
【０００２】
【従来の技術】
上記管内作業装置の一例として、都市ガス供給用のガス管内に溜まった水を抽水する管内抽水装置を、ガスの供給を停止しない活管状態で管内に挿入する為に使用する管内挿入用治具があり、図８に示すように、径方向で二つ割りの筒状クランプ部材２をガス管Ｂの外周面に気密に固定して、そのクランプ部材２に形成した貫通孔１を開閉するシャッター装置Ｅに気密に固定し、貫通孔１を通してガス管Ｂの途中箇所を切除してから、管内挿入用治具Ａ０をシャッター装置Ｅに気密に固定して、管内抽水装置Ｃを、シャッター装置Ｅの開閉用貫通孔３０とクランプ部材２の貫通孔１とを通して、管軸Ｘに対して傾斜する方向からガス管Ｂ内に挿入するように構成している。
つまり、図４に示すように、クランプ部材２の貫通孔１を形成している筒部５にシャッター装置Ｅを固定し、そのシャッター装置Ｅの上面に気密に装着したホールソーＦでガス管Ｂの途中箇所を切除してから、シャッター装置Ｅで貫通孔１を閉じて、図８に示すように、ホールソーＦに代えて管内挿入用治具Ａ０を気密に装着し、シャッター装置Ｅで貫通孔１を開いて、開閉用貫通孔３０と貫通孔１とを通して管内抽水装置Ｃをガス管Ｂ内に挿入している。
前記管内挿入用治具Ａ０は、管内抽水装置Ｃの挿入方向を案内する案内用筒体３とその案内用筒体３をシャッター装置Ｅに固定する固定用筒体４とを、それらの筒軸Ｙ，Ｚどうしが斜めに交叉する姿勢で接続してある。
そして、従来、図８に示すように、固定用筒体４を、シャッター装置Ｅの開閉用貫通孔３０の周縁に沿って螺着する雌ネジ部３１を内周面に備えた筒状部材２０の内周側に、その開閉用貫通孔３０の周縁に沿って螺着した筒状部材２０の内周部と開閉用貫通孔３０の周縁を囲むシャッター装置Ｅの外面部との間をシールする弾性シール材３２の保持枠３３を鍔状に設けて構成している。
【０００３】
【発明が解決しようとする課題】
この為、管内抽水装置Ｃが、固定用筒体４に設けた保持枠３３のうちの、管内抽水装置Ｃのガス管Ｂ内における挿入方向で上手側の部位３４に接当し易く、管内抽水装置Ｃの先端が保持枠３３に接当して上手く挿入できなくなったり、管内抽水装置Ｃの挿入に伴って、その管内抽水装置Ｃが保持枠３３に強く擦れて破損し易い欠点がある。
この欠点を解決するために、例えば、保持枠３３のうちの管内抽水装置Ｃのガス管Ｂ内における挿入方向で上手側の部位３４に、管内抽水装置Ｃの入り込みを許容する切欠を形成して、管内抽水装置Ｃの接当を防止することが考えられるが、この場合は、弾性シール材３２を保持枠３３で上手く保持できなくなるので、筒状部材２０と開閉用貫通孔３０の周縁を囲む外面部との間のシール性を確保できない問題がある。
本発明は上記実情に鑑みてなされたものであって、筒状部材と貫通孔の周縁を囲む外面部との間のシール性を確保しながら、管内作業装置を挿入し易く、また、管内作業装置が破損しにくい管内挿入用治具を提供することを目的とする。
【０００４】
【課題を解決するための手段】
請求項１記載の発明の特徴構成は、可撓性を備えた硬質長尺体の先端に作業部を設けてある管内作業装置を、管径方向から管内に連通する貫通孔を通して、管軸に対して傾斜する方向から管内に挿入する為に、前記管内作業装置の前記貫通孔から管内への挿入方向を案内する案内用筒体と、その案内用筒体を管側に固定する固定用筒体とを、それらの筒軸どうしが斜めに交叉する姿勢で接続してある管内作業装置の管内挿入用治具であって、前記固定用筒体を、前記貫通孔の周縁に沿って螺着する雄ネジ部を外周面に備えた筒状部材の外周側に、前記貫通孔の周縁に沿って螺着した筒状部材の外周部と前記貫通孔の周縁を囲む外面部との間をシールする弾性シール材の保持枠を鍔状に設けて構成し、前記案内用筒体のうちの、前記管内作業装置の管内における挿入方向で上手側の部位を前記保持枠に接続し、前記固定用筒体のうちの、前記管内作業装置の管内における挿入方向で上手側の部位であって、かつ、前記筒状部材と前記保持枠とに亘る部位に、前記管内作業装置の入り込みを許容する切欠を形成してある点にある。
〔作用〕  固定用筒体を、貫通孔の周縁に沿って螺着する雄ネジ部を外周面に備えた筒状部材の外周側に、その貫通孔の周縁に沿って螺着した筒状部材の外周部と貫通孔の周縁を囲む外面部との間をシールする弾性シール材の保持枠を鍔状に設けて構成し、案内用筒体のうちの、管内作業装置の管内における挿入方向で上手側の部位を保持枠に接続してあるので、固定用筒体のうちの、管内作業装置の管内における挿入方向で上手側の部位であって、かつ、筒状部材と保持枠とに亘る部位に、管内作業装置の入り込みを許容する切欠を形成しても、その切欠箇所に対応する部分の弾性シール材を保持枠の外周部で保持させることができる。
〔効果〕  従って、弾性シール材を保持枠で保持して、筒状部材と貫通孔の周縁を囲む外面部との間のシール性を確保しながら、管内作業装置の入り込みを許容する切欠を形成できるので、管内作業装置を挿入し易く、また、管内作業装置が破損しにくい。
【０００６】
【発明の実施の形態】
以下に本発明の実施の形態を図面に基づいて説明する。尚、図面において従来例と同一の符号で表示した部分は、同一又は相当の部分を示している。
図１は、管内作業装置の一例として、土中に埋設してある都市ガス供給用の鋼製低圧ガス管Ｂ内に溜まった水を管外に排水する管内抽水装置Ｃを、そのガス管Ｂ内に挿入する為に使用する管内挿入用治具Ａを示す。
前記管内抽水装置Ｃは、可撓性を備えた硬質長尺体としての硬質ポリエチレン樹脂製の抽水ホースＣ１の先端に、ガス管Ｂ内の水を吸引する吸引部Ｃ２と管内撮影用のＣＣＤカメラＣ３と備えた抽水作業用の作業部Ｄを設けて構成してあり、図外のドラムに巻き取ってある抽水ホースＣ１を繰り出しながら、管径方向からガス管Ｂ内に連通する貫通孔１を通して、管軸Ｘに対して傾斜する方向からガス管Ｂ内に挿入するようにしてある。
【０００７】
前記管内挿入用治具Ａは、ガス管Ｂの外周面に気密に固定してある径方向で二つ割り鋳鉄製の筒状クランプ部材２に形成した貫通孔１を通して、管内抽水装置Ｃをガス管Ｂ内に挿入するように設けてあり、管内抽水装置Ｃの貫通孔１からガス管Ｂ内への挿入方向を案内する案内用筒体３と、その案内用筒体３をガス管Ｂ側のクランプ部材２に固定する固定用筒体４とを、それらの筒軸Ｙ，Ｚどうしが斜めに交叉する姿勢で接続して構成してある。
前記クランプ部材２は、後述するように、ガス(流体)の供給を停止しない活管状態で、貫通孔１を通してガス管Ｂの途中箇所を切除するために設けてあり、上側に位置させて固定してあるクランプ部材２ａに、貫通孔１を形成する筒部５を設け、その筒部５の内周面に雌ネジ部６を形成してある。
【０００８】
前記案内用筒体３は、管内抽水装置Ｃを同芯状に挿通する小径筒体７と、固定用筒体４の周部に溶接固定してある大径筒体８とで構成してあり、大径筒体８の上端部を塞ぐ塞ぎ板９に雌ネジ部１０を内周面に備えた備えた接続用筒１１を溶接固定し、この接続用筒１１の雌ネジ部１０に、小径筒体７の外周面に形成した雄ネジ部１２を螺合して、小径筒体７と大径筒体８とを、それらの筒軸Ｙ１，Ｙ２どうしが互いに平行になる姿勢で、シール用Ｏリング１３を挟んで気密に固定してある。
前記大径筒体８には、管内抽水装置Ｃの貫通孔１からガス管Ｂ内への挿入状態を観察する観察窓１４と、その観察窓１４から管内抽水装置Ｃの状態を見ながら管内抽水装置Ｃを押圧して、貫通孔１からガス管Ｂ内への挿入方向を微調整する押圧具１５とを設けてある。
前記小径筒体７の上部内側に、管内抽水装置Ｃの挿通孔１６を形成したシール用の弾性ゴム１７を装着し、その弾性ゴム１７を小径筒体７の上部外周に螺着した鍔部材１８で抜け止めしてある。
【０００９】
前記固定用筒体４は、貫通孔１の周縁に沿って螺着する雄ネジ部１９を外周面に備えた筒状部材２０の外周側に、その貫通孔１の周縁に沿って螺着した筒状部材２０の外周部と貫通孔１の周縁を囲む外面部との間をシールするリング状弾性シール材２１の保持枠２２を鍔状に設けて構成してある。
つまり、筒状部材２０の外周面に形成した雄ネジ部１９を筒部５の内周面に形成した雌ネジ部６に螺着して、固定用筒体４をクランプ部材２に固定し、そのクランプ部材２に固定した筒状部材２０の外周部と筒部５の外面部との間をシールする弾性シール材２１を、筒状部材２０の外周側に鍔状に設けた保持枠２２に保持してある。
前記筒部５の外周面５ａを基部側ほど大径のテーパ面に形成し、筒状部材２０の雄ネジ部１９を雌ネジ部６に対して締め付け方向に螺進させるに伴って、弾性シール材２１をその径方向での厚みが薄くなるように変形させて、筒部５に気密に螺着した固定用筒体４の、締め付け解除方向への半周回転に亘る螺進操作にかかわらず、その弾性シール材２１のシール機能を維持できるようにしてある。
【００１０】
そして、案内用筒体３を構成している大径筒体８の端部を全周に亘って保持枠２２の上面に溶接固定して、案内用筒体３のうちの、管内抽水装置Ｃのガス管Ｂ内における挿入方向で上手側の部位２３を保持枠２２に接続し、図２に示すように、固定用筒体４のうちの、管内抽水装置Ｃのガス管Ｂ内における挿入方向で上手側の部位であって、かつ、保持枠２２の案内用筒体３との接続箇所近くと筒状部材２０の下端部とに亘る部位に、管内抽水装置Ｃの入り込みを許容する切欠２４を形成してある。
【００１１】
上記管内挿入用治具Ａを使用して管内抽水装置Ｃをガス管Ｂ内に活管状態で挿入して、ガス管Ｂ内に溜まった水を排水する手順を説明する。
図３に示すように、ガス管Ｂにクランプ部材２を固定してその外周面を気密に囲い、図４に示すように、クランプ部材２の筒部５にシャッター装置Ｅを気密に固定して、シャッター装置Ｅの上面にホールソーＦをねじ込み装着し、そのホールソーＦでガス管Ｂの途中箇所を切除してから、シャッター装置Ｅで筒部５の貫通孔１を閉じて、ホールソーＦをシャッター装置Ｅから外す。
次に、図５示すように、クランプ部材２をシャッター装置Ｅごと覆う透明シート製ガスバッグ２５をガス管Ｂに装着し、そのガスバッグ２５の中に管内挿入用治具Ａを予め入れておく。
次に、ガスバッグ２５に設けた作業用孔からの操作で、シャッター装置Ｅをクランプ部材２から外し、クランプ部材２の貫通孔１を通して、クランプ部材２内部のガス管切除箇所下部に、管内抽水装置Ｃの挿入方向をガス管Ｂの長手方向に沿う方向に案内する案内面２６を左右に備えた案内板２７を設置する。
この案内板２７は、図６に示すように、その底面に取り付けた磁石２８でクランプ部材２の内底面に吸着固定するようにしてある。
次に、図６に示すように、案内用筒体３が管内抽水装置Ｃのガス管Ｂ内における挿入方向の下手側に位置するように、固定用筒体４をクランプ部材２の筒部５に螺着して、管内挿入用治具Ａをクランプ部材２に固定し、案内用筒体３に装着した弾性ゴム１７の挿通孔１６から管内抽水装置Ｃを押し込んで、抽水用ホースＣ１をドラムから繰り出しながらガス管Ｂ内に挿入する。
管内挿入用治具Ａの左右に位置するガス管Ｂのうちの一方のガス管Ｂ内に管内抽水装置Ｃを挿入してその抽水作業を終えると、抽水用ホースＣ１をドラムに巻き取りながら、管内抽水装置Ｃをガス管Ｂ内から引き出し、その作業部Ｄを管内挿入用治具Ａの内側に収容して、管内挿入用治具Ａを作業部Ｄごと半周回転させて、他方のガス管Ｂ内に管内抽水装置Ｃを挿入し、その抽水作業を行う。
抽水作業を終えると、管内挿入用治具Ｃを管内挿入用治具Ａから抜き出して、その管内挿入用治具Ａをクランプ部材２から外し、クランプ部材２の貫通孔１にプラグ２９を気密に締め付け固定する。
【００１２】
〔その他の実施形態〕
１．本発明による管内作業装置の管内挿入用治具は、管内検査用カメラを作業部に備えた管内作業装置を管内に挿入する為に使用するものであっても良く、管内作業装置による作業内容は特に限定されない。
２．本発明による管内作業装置の管内挿入用治具は、管内作業装置を挿入するべき管の管壁に形成した貫通孔の周縁に直に固定するように構成してあっても良い。
３．本発明による管内作業装置の管内挿入用治具は、クランプ部材の貫通孔を形成している筒部に装着したシャッター装置の開閉用貫通孔の周縁に固定するように構成してあっても良い。
４．本発明による管内作業装置の管内挿入用治具は、管内作業装置の入り込みを許容する切欠を、保持枠の案内用筒体との接続箇所近くと、筒状部材の筒軸軸芯方向中間位置とに亘る部位に形成してあっても良い。
５．本発明による管内作業装置の管内挿入用治具は、ホールソーをクランプ部材の筒部にガスバッグ内で直に締め付け固定し、そのホールソーでガス管の途中箇所を切除してから、ホールソーに代えて、管内挿入用治具をガスバッグ内でクランプ部材の筒部に螺着しても良い。
６．本発明による管内作業装置の管内挿入用治具は、水道管などのガス以外の液体供給管に管内作業装置を挿入する為に使用するものであっても良い。
【図面の簡単な説明】
【図１】管内挿入用治具の縦断面図
【図２】要部平面図
【図３】作業手順を示す平面図
【図４】作業手順を示す側面図
【図５】作業手順を示す側面図
【図６】作業手順を示す一部断面側面図
【図７】作業手順を示す要部断面図
【図８】従来技術を示す一部断面側面図
【符号の説明】
１      貫通孔
３      案内用筒体
４      固定用筒体
１９    雄ネジ部
２０    筒状部材
２１    弾性シール材
２２    保持枠
２３    部位
２４    切欠
Ｂ      管
Ｃ      管内作業装置
Ｃ１    長尺体
Ｄ      作業部
Ｘ      管軸
Ｙ，Ｚ  筒軸
【図１】
0004136177.tif 000002
【図２】
0004136177.tif 000003
【図３】
0004136177.tif 000004
【図４】
0004136177.tif 000005
【図５】
0004136177.tif 000006
【図６】
0004136177.tif 000007
【図７】
0004136177.tif 000008
【図８】
0004136177.tif 000009